(57)【特許請求の範囲】
【請求項１】
複数の部屋の各々の壁面に設けられた給排気ファンと、
前記給排気ファンの近傍に設けられ、前記給排気ファンの各々に対応し、室外の空気質の汚染度を検出する室外空気質センサと、
前記室外空気質センサの検出した汚染度に基づいて前記給排気ファンの運転状態を制御する制御装置と、
を備え、
前記制御装置は、
汚染度が一番低い値を検出した室外空気質センサに対応する給排気ファンを給気運転させ、
汚染度が一番高い値を検出した室外空気質センサに対応する給排気ファンを排気運転させ
ることを特徴とする換気システム。
【請求項２】
前記制御装置は、汚染度の基準となる閾値を有し、
汚染度が前記閾値よりも低い値を検出した室外空気質センサに対応する給排気ファンを給気運転させ、
汚染度が前記閾値よりも高い値を検出した室外空気質センサに対応する給排気ファンを排気運転させ
ることを特徴とする請求項１に記載の換気システム。
【請求項３】
複数の部屋の各々の壁面に設けられた給排気ファンと、
前記給排気ファンの近傍に設けられ、前記給排気ファンの各々に対応し、室外の空気質の汚染度を検出する室外空気質センサと、
前記室外空気質センサの検出した汚染度に基づいて前記給排気ファンの運転状態を制御する制御装置と、
前記複数の部屋の中で換気する部屋を選択できる選択手段を備え、
前記制御装置は、
前記選択手段により選択された部屋に対応する給排気ファンを排気運転させ、
前記選択された部屋に対応する給排気ファン以外で、汚染度が一番低い値を検出した室外空気質センサに対応する給排気ファンを給気運転させることを特徴とする換気システム。
【請求項４】
複数の部屋の各々の壁面に設けられた給排気ファンと、
前記給排気ファンの近傍に設けられ、前記給排気ファンの各々に対応し、室外の空気質の汚染度を検出する室外空気質センサと、
前記室外空気質センサの検出した汚染度に基づいて前記給排気ファンの運転状態を制御する制御装置と、
前記複数の部屋のうち換気する部屋を選択できる選択手段を備え、
前記制御装置は、汚染度の基準となる閾値を有し、
前記選択手段により選択された部屋に対応する給排気ファンを排気運転させ、
前記選択された部屋に対応する給排気ファン以外で、汚染度が前記閾値よりも低い値を示した室外空気質センサに対応する給排気ファンを給気運転させることを特徴とする換気システム。
【請求項５】
前記給排気ファンの近傍に設けられ、前記給排気ファンの各々に対応し、室内の空気質の汚染度を検出する室内空気質センサを備え、
前記制御装置は、前記室内空気質センサで検出した汚染度が前記室外空気質センサの検出した汚染度のどの値よりも低い場合、前記給排気ファンを給気運転させないことを特徴とする請求項１から４のいずれか一項に記載の換気システム。
【発明の詳細な説明】
【技術分野】
【０００１】
この発明は、住宅に備えた複数の給排気ファンを連動制御する換気システムに関する。
【背景技術】
【０００２】
従来から、住宅に備えられた複数の給排気ファンを連動制御する技術は開発されている。例えば、住宅の南側と北側にそれぞれ温度センサを備えた給排気ファンを設け、温度状況に応じて、夏は北側に設けられた給排気ファンから給気、南側に設けた給排気ファンからから排気し、そして、冬は南側に設けられた給排気ファンから給気、北側に設けられた給排気ファンから排気している。こうすることで、外気の温度を利用した自然空調を行っている（特許文献１）。
【先行技術文献】
【特許文献】
【０００３】
【特許文献１】特開平６−３２３５８３号公報
【発明の概要】
【発明が解決しようとする課題】
【０００４】
しかし、外気の温度状況しか検知していないため、ほこり、花粉、ＰＭ２．５等を含む汚染空気が室内に流入したり、また夏に湿度の高い空気が室内に流入することで不快な住宅空間になる恐れがある。
【０００５】
この発明は、上記のような課題を解決するためになされたものであり、室外の汚染空気を室内に流入させないことで室内の快適性を向上させることを目的とする。
【課題を解決するための手段】
【０００６】
この発明に係る換気システムは、複数の部屋の各々の壁面に設けられた給排気ファンと、前記給排気ファンの近傍に設けられ、前記給排気ファンの各々に対応し、室外の空気質の汚染度を検出する室外空気質センサと、前記室外空気質センサの検出した汚染度に基づいて前記給排気ファンの運転状態を制御する制御装置と、を備え、前記制御装置は、汚染度が一番低い値を検出した室外空気質センサに対応する給排気ファンを給気運転させ、汚染度が一番高い値を検出した室外空気質センサに対応する給排気ファンを排気運転させることを特徴とするものである。
【発明の効果】
【０００７】
この発明に係る換気システムは、室外の空気質を検知する室外空気質センサを備えたことで、汚染度に基づいて給排気ファンの運転を制御することができる。よって、室外の汚染空気を室内に流入させず、室内の快適性を向上させることができる。
【図面の簡単な説明】
【０００８】
【図１】実施の形態１に係る換気システムの住宅内における給排気ファン及び室外空気質センサの配置関係を説明する図。
【図２】実施の形態１に係る換気システムの機能ブロック図。
【図３】実施の形態１に係る換気システムの操作部を説明する図。
【図４】実施の形態１に係る換気システムの室外の汚染状況と給排気ファンの給排気関係を説明する図。
【図５】実施の形態１に係る換気システムの一連の処理の流れ示すフローチャート。
【図６】実施の形態２に係る換気システムの機能ブロック図。
【図７】実施の形態２に係る換気システムの操作部を説明する図。
【図８】実施の形態２に係る換気システムの室外の汚染状況と給排気ファンの給排気関係を説明する図。
【図９】実施の形態２に係る換気システムの一連の処理の流れを示すフローチャート。
【図１０】実施の形態３に係る換気システムの住宅内における給排気ファン、室内空気質センサ及び室外空気質センサの配置関係を説明する図。
【図１１】実施の形態３に係る換気システムの機能ブロック図。
【図１２】実施の形態３に係る換気システムの操作部を説明する図。
【図１３】実施の形態３に係る換気システムの室外及び室内の汚染状況と給排気ファンの給排気関係を説明する図。
【図１４】実施の形態３に係る換気システムの一連の処理の流れを示すフローチャート。
【発明を実施するための形態】
【０００９】
実施の形態１
本発明の実施の形態１に係る換気システムの構成について図１から図５を用いて説明する。図１は実施の形態１に係る換気システムの住宅内における給排気ファン及び室外空気質センサの配置関係を説明する図である。図２は、実施の形態１に係る換気システムの機能ブロック図である。図３は、実施の形態１に係る換気システムの操作部を説明する図である。図４は、実施の形態１に係る換気システムの室外の汚染状況と給排気ファンの給排気関係を説明する図である。図５は、実施の形態１に係る換気システムの一連の処理の流れを示すフローチャートである。
【００１０】
図１に示すように、実施の形態１に係る換気システム１は、複数の給排気ファン２ａ〜６ａ、各給排気ファン２ａ〜６ａに対応する室外空気質センサ２ｂ〜６ｂ、及び室外空気質センサ２ｂ〜６ｂの検出結果に基づいて給排気ファン２ａ〜６ａの運転状態を制御する制御装置７で構成されている。
【００１１】
図１に示すように、換気システム１の給排気ファン２ａ〜６ａは、住宅の各部屋Ａ〜Ｅにそれぞれ備えられている。給排気ファン２ａは部屋Ａの壁面に、給排気ファン３ａは部屋Ｂの壁面に、給排気ファン４ａは部屋Ｃの壁面に、給排気ファン５ａは部屋Ｄの壁面に、給排気ファン６ａは部屋Ｅの壁面にそれぞれ備えられている。給排気ファン２ａ〜６ａは、例えばプロペラファンでありファンの回転方向を変えることで、給気運転、排気運転を変更することが出来る。なお、給排気ファン２ａ〜６ａは給気運転、排気運転の両運転を達成できれば、ファンの種類は何でもよい。
【００１２】
同様に、換気システム１の室外空気質センサ２ｂ〜６ｂは、住宅の各部屋Ａ〜Ｅにそれぞれ備えられている。室外空気質センサ２ｂは部屋Ａの壁面に、室外空気質センサ３ｂは部屋Ｂの壁面に、室外空気質センサ４ｂは部屋Ｃの壁面に、室外空気質センサ５ｂは部屋Ｄの壁面に、室外空気質センサ６ｂは部屋Ｅの壁面にそれぞれ備えられている。また、室外空気質センサ２ｂ〜６ｂはそれぞれ給排気ファン２ａ〜６ａの近くに設けられている。
【００１３】
室外空気質センサ２ｂ〜６ｂは、室外の空気質を検出することができる。空気質とは、空気の質のことである。空気質は、主に、花粉、細菌、ダニ等の生物的要因、二酸化炭素や粒子状物質等の化学的要因、湿度等の物理的要因により影響を受けるものである。すなわち、本発明で定義する空気質には温度は含まない。
【００１４】
制御装置７は、室外空気質センサ２ｂ〜６ｂの検出結果に基づいて給排気ファン２ａ〜６ａの運転を制御する。具体的には、制御装置７は、室外空気質センサ２ｂの検出結果に基づいて給排気ファン２ａの運転を制御する。すなわち、給排気ファン２ａと室外空気質センサ２ｂは対応付けられている。同様に、給排気ファン３ａと室外空気質センサ３ｂ、給排気ファン４ａと室外空気質センサ４ｂ、給排気ファン５ａと室外空気質センサ５ｂ、給排気ファン６ａと室外空気質センサ６ｂはそれぞれ対応付けられている。
【００１５】
続いて、図２を用いて、換気システム１の機能ブロック図の説明を行う。
【００１６】
制御装置７は操作部７ａ、制御部７ｂ、記憶部７ｃで構成される。制御部７ｂは、操作部７ａから換気開始指令を受け取ると、室外空気質センサ２ｂ〜６ｂに現在の空気質を検出するように指令を与える。制御部７ｂから指令を受けると室外空気質センサ２ｂ〜６ｂはそれぞれ、空気質を検出する。例えば、室外空気質センサ２ｂの検出値はｘ１、室外空気質センサ３ｂの検出値はｘ２、室外空気質センサ４ｂの検出値はｘ３、室外空気質センサ５ｂの検出値はｘ４、室外空気質センサ２６の検出値はｘ５であるとすると、制御部７ｂは室外空気質センサ２ｂ〜６ｂからｘ１からｘ５の汚染度情報を取得する。ｘ１〜ｘ５の検出結果は汚染の程度を評価できるものであれば、実際の値でもよいし、高、中、低等のランク分けされたものであってもよい。
【００１７】
制御部７ｂは、ｘ１からｘ５の汚染度情報を受け取ると、ｘ１からｘ５の汚染度を比較し、その比較結果に基づいて給排気ファン２ａ〜６ａに運転状態を制御する指令を出す。例えば、汚染度がｘ１＜ｘ２＜ｘ３＜ｘ４＜ｘ５であった場合、すなわち、ｘ１が一番汚染されておらず、ｘ５が一番汚染されていた場合、室外空気質センサ２ｂを給気運転させ、室外空気質センサ６ｂを排気運転させる指令を与える。そうすることで、汚染度の低いエリアの空気を給気することができる。また、ここでは一番汚染度の低いｘ１に対応する給排気ファン２ａのみ給気運転しているがこれに限るものではなく、室内の空気質をきれいに保つことができればよく、２番目に汚染度の低い、ｘ２に対応する給排気ファン３ａも給気運転してもよい。
【００１８】
また、ここでは、ｘ１からｘ５の５つの値の比較結果に基づいて給排気ファン２ａ〜６ａを制御しているが、他にも記憶部７ｃに汚染度の基準となる閾値を記憶させておき、その閾値とｘ１からｘ５の値を比較した比較結果に基づいて給排気ファン２ａ〜６ａに運転を制御する指令を出してもよい。例えば、閾値よりも汚染度が低い値を検出した給排気ファン２ａ〜６ａを給気運転させ、閾値よりも汚染度が高い値を検出した給排気ファン２ａ〜６ａを排気運転させる。
【００１９】
図３は、操作部７ａの一例を示すもので、本実施の形態１においては、換気運転を開始する換気ＯＮスイッチ７aａと換気運転を停止する換気ＯＦＦスイッチ７ａｂを備えてあればよい。
【００２０】
続いて、図４及び図５を用いて、具体的な状況における、換気システムの一連の処理の流れを説明する。
【００２１】
図４に記載のように、本具体例では、給排気ファン２ａ付近の室外側のエリアの汚染度が５、給排気ファン３ａ付近の室外側のエリアの汚染度が３、給排気ファン４ａ付近の室外側のエリアの汚染度が４、給排気ファン５ａ付近のエリアの室外側の汚染度が１、給排気ファン６ａ付近の室外側のエリアの汚染度が２であるとする。ここでは、汚染度の値は大きい方が汚染されている程度が高く、小さい方が汚染されている程度が低いことを示している。
【００２２】
この状況において、利用者が操作部７ａの換気ＯＮスイッチ７aａを押すと制御部７ｂから室外空気質センサ２ｂ〜６ｂに換気指令が出され（Ｓ１）、室外空気質センサ２ｂ〜６ｂは室外の汚染度の検出を開始する。室外空気質センサ２ｂ〜６ｂが空気質の検出を完了すると（Ｓ２）、制御部７ｂは室外空気質の汚染度を室外空気質センサ２ｂ〜６ｂから取得する（Ｓ３）。ここでは、検出値ｘ１は汚染度５、検出値ｘ２は汚染度３、検出値ｘ３は汚染度４、検出値ｘ４は汚染度１、検出値ｘ５は汚染度２となる。つづいて、制御部７ｂはこうして得られた汚染度を比較する（Ｓ４）。ここでは、汚染度はｘ４＜ｘ５＜ｘ２＜ｘ３＜ｘ１である。この比較結果をもとに制御部７ｂは排気運転する給排気ファン２ａ〜６ａ及び給気運転する給排気ファン２ａ〜６ａを決定する（Ｓ５、Ｓ６）。ここでは、例えば一番汚染度が高いｘ１に対応する給排気ファン２ａを排気運転させ、一番汚染度が低い値を示したｘ４に対応する給排気ファン５ａを給気運転させる（Ｓ７）。すなわち、住宅内は部屋Ｄから空気が流入し、部屋Ａから空気が流出するという空気の流れになる。また上述したように、ここでは一番汚染度の低いｘ４に対応する室外空気質センサ５ｂのみ給気運転しているが、これに限るものではなく、室内の空気質をきれいに保つことができればよく、２番目に汚染度の低い、ｘ５に対応する給排気ファン６ａも給気運転してもよい。そして、利用者が操作部７ａの換気ＯＦＦスイッチ７ａｂを押すと制御部７ｂから室外空気質センサ２ｂ〜６ｂに換気停止指令が出され、換気運転が終了する（Ｓ８）。また、他にも、所定の時間が経過することで、換気運転を終了させてもよい。
【００２３】
ここでは、ｘ１からｘ５の５つの値の大小を比較することで、給排気ファン２ａ〜６ａを制御しているが、他にも記憶部７ｃに汚染度に関する閾値Ａを記憶させておき、その閾値Ａとｘ１からｘ５を比較した結果に基づいて給排気ファン２ａ〜６ａの運転を制御する指令を出してもよい。例えば、閾値Ａとｘ１からｘ５をそれぞれ比較し、ｘ４＜ｘ５＜ｘ２＝閾値Ａ＜ｘ３＜ｘ１であった場合には、閾値Ａより汚染度が大きい値を示した、室外空気質センサ２ｂに対応する給排気ファン２ａ及び室外空気質センサ４ｂに対応する給排気ファン４ａを排気運転させ、閾値Ａより汚染度が小さい値を示した、室外空気質センサ５ｂに対応する給排気ファン５ａ及び室外空気質センサ６ｂに対応する給排気ファン６ａを給気運転させてもよい。
【００２４】
このように、本発明の実施の形態１に係る換気システムは、室外の空気質を検知する室外空気質センサを備えたことで、汚染度に基づいて給排気ファンの運転を制御することができる。よって、室外の汚染空気を室内に流入させず、室内の快適性を向上させることができる。
【００２５】
実施の形態２
実施の形態１に係る換気システムは、住宅の各部屋に室外空気質センサを備えたことで、室外の汚染度に基づいて住宅全体の換気を行うものであるが、実施の形態２に係る換気ユニットは、複数の部屋の中で換気する部屋を選択できる選択手段を備え、選択手段により選択された部屋を集中的に換気するものである。
【００２６】
実施の形態２に係る換気ユニットについては図６から図９を用いて説明する。図６は、実施の形態２に係る換気システムの機能ブロック図であり、図７は実施の形態２に係る換気システムの操作部を説明する図であり、図８は実施の形態２に係る換気システムの室外の汚染状況と給排気ファンの給排気関係を説明する図であり、図９は実施の形態２に係る換気システムの一連の処理の流れを示すフローチャートである。なお、本実施の形態２では実施の形態１との相違点を中心に説明し、実施の形態１と同様の構成及び効果については省略する。また、実施の形態１と同一の構成については同一の符号を用いる。
【００２７】
図６を用いて、換気システム８の機能ブロック図の説明を行う。
【００２８】
図６に示すように、実施の形態２に係る換気システム８の制御装置９は操作部９ａ、制御部９ｂ、記憶部９ｃで構成される。制御部９ｂは、操作部９ａから指定された部屋の換気開始指令を受け取ると、操作部９ｂは、指定された部屋に対応する室外空気質センサ２ｂ〜６ｂ以外の室外空気質センサ２ｂ〜６ｂに現在の空気質を検出するように指令を与える。さらに、操作部９ｂで指定された部屋の給排気ファン２ａ〜６ｂに排気運転させる指令を与える。制御部９ｂから指令を受けると室外空気質センサ２ｂ〜６ｂはそれぞれ、空気質を検出する。すると、実施の形態１と同様に、制御部９ｂは室外空気質センサ２ｂ〜６ｂから汚染度情報を取得する。検出結果は汚染の程度を評価できるものであれば、実際の値でもよいし、高、中、低等のランク分けされたものであってもよい。
【００２９】
制御部９ｂは、汚染度情報を受け取ると、室外空気質センサ２ｂ〜６ｂから受信した汚染度を比較し、その比較結果に基づいて給排気ファン２ａ〜６ａに運転状態を制御する指令を出す。具体的には、制御部９ｂは汚染度が一番低い値を検出した室外空気質センサ２ｂ〜６ｂに対応する給排気ファン２ａ〜６ａを給気運転させる指令を出す。また、ここでは汚染度が一番低い値であった室外空気質センサ２ｂ〜６ｂに対応する給排気ファン２ａ〜６ａを給気運転させているが、これに限るものではなく、室内の空気質をきれいに保つことができればよく、２番目に汚染度が低い値を検出した室外空気質センサ２ｂ〜６ｂに対応する給排気ファン２ａ〜６ａも給気運転してもよい。このように、利用者が指定した部屋に対応する給排気ファン２ｂ〜６ｂを排気運転させ、かつ、汚染度が低い値を検出した室外空気質センサ２ｂ〜６ｂに対応する給排気ファン２ａ〜６ａを給気運転させることで、利用者が指定した部屋を換気でき、かつ住宅内全体をきれいな空気を流入させることができる。
【００３０】
また、ここでは、指定された部屋に対応する室外空気質センサ２ｂ〜６ｂ以外の室外空気質センサ２ｂ〜６ｂの検出値の比較結果に基づいて給気運転する給排気ファン２ｂ〜６ｂを決めているが、他にも記憶部９ｃに汚染度の基準となる閾値を記憶させておき、その閾値と検出値を比較した比較結果に基づいて給気運転する給排気ファン２ａ〜６ａを決めてもよい。例えば、閾値よりも汚染度が低い値を検出した室外空気質センサ２ｂ〜６ｂに対応する給排気ファン２ｂ〜６ｂを給気運転させる。
【００３１】
図７は、実施の形態２の操作部９ａの一例を示すものである。換気ＯＮスイッチは換気したい部屋を選択できるようになっている。換気ＯＮスイッチは、Ａ部屋を換気したい時に押すＡ部屋換気ＯＮスイッチ９ａａ、Ｂ部屋を換気したい時に押すＢ部屋換気ＯＮスイッチ９ａｂ、Ｃ部屋を換気したい時に押すＣ部屋換気ＯＮスイッチ９ａｃ、Ｄ部屋を換気したい時に押すＤ部屋換気ＯＮスイッチ９ａｄ、Ｅ部屋を換気したい時に押すＥ部屋換気ＯＮスイッチ９ａｅで構成される。利用者はこれらのスイッチにより、換気したい部屋すなわち排気運転させたい給排気ファン２ａ〜６ａを指定することができる。また、換気運転を停止する換気ＯＦＦスイッチ９ａｆを備えている。
【００３２】
続いて、図８及び図９を用いて、Ｂ室を換気する場合における、換気システムの一連の処理の流れを説明する。図８の室外の汚染状況は図４と同じであるため、ここでは説明を省略する。
【００３３】
利用者が操作部９ａのＢ部屋換気ＯＮスイッチ９ａｂを押すと制御部９ｂから室外空気質センサ２ｂ〜６ｂに換気指令が出され（Ｓ１）、指定された部屋に対応しない室外空気質センサ２ｂ、室外空気質センサ４ｂ、室外空気質センサ５ｂ、室外空気質センサ６ｂは室外の汚染度の検出を開始する（Ｓ２）。さらに、制御部９ｂは、指定された部屋の給排気ファン２ａ〜６ｂに排気運転させる指令を与える（Ｓ３）。ここでは、Ｂ部屋換気スイッチ９ａｂが押されているので、給排気ファン３ａの排気運転が開始する。室外空気質センサ２ｂ、室外空気質センサ４ｂ、室外空気質センサ５ｂ、室外空気質センサ６ｂが空気質の検出を完了すると、制御部９ｂは室外空気質の汚染度を取得する（Ｓ４）。ここでは、Ａ部屋の室外空気質センサ２ｂの検出値ｘ１は汚染度５、Ｃ部屋の室外空気質センサ４ｂの検出値ｘ３は汚染度４、Ｄ部屋の室外空気質センサ５ｂの検出値ｘ４は汚染度１、Ｅ部屋の室外空気質センサ６ｂの検出値ｘ５は汚染度２となる。つづいて、制御部９ｂはこうして得られた汚染度を比較する（Ｓ５）。ここでは、汚染度はｘ４＜ｘ５＜ｘ３＜ｘ１である。
【００３４】
この比較結果をもとに制御部９ｂは給気運転する給排気ファン２ｂ〜６ｂを決定する（Ｓ６）。ここでは、例えば一番汚染度が低い値を示したｘ４に対応する給排気ファン５ａを給気運転させる（Ｓ７）。すなわち、住宅内は部屋Ｄから空気が流入し、部屋Ｂから空気が流出するという空気の流れになる。また上述したように、ここでは一番汚染度の低いｘ４に対応する室外空気質センサ５ｂのみ給気運転しているが、これに限るものではなく、室内の空気質をきれいに保つことができればよく、２番目に汚染度の低い、ｘ５に対応する給排気ファン６ａも給気運転してもよい。そして、利用者が操作部９ａの換気ＯＦＦスイッチ９ａｆを押すと制御部９ｂから給排気ファン２ａ〜６ａに換気停止指令が出され、換気運転が終了する（Ｓ８）。また、他にも、所定の時間が経過することで、換気運転を終了させてもよい。
【００３５】
ここでは、ｘ１、ｘ３、ｘ４、ｘ５の４つの値の大小を比較することで、給気運転させる給排気ファン２ｂ〜６ｂを決定しているが、他にも記憶部９ｃに汚染度に関する閾値Ｂを記憶させておき、その閾値Ｂとｘ１、ｘ３、ｘ４、ｘ５を比較した結果に基づいて給排気ファン２ａ〜６ａに運転を制御する指令を出してもよい。例えば、閾値Ｂとｘ１、ｘ３、ｘ４、ｘ５をそれぞれ比較し、ｘ４＜ｘ５＜閾値Ｂ＜ｘ３＜ｘ１であった場合には、閾値Ｂより汚染度が小さい値を示した、室外空気質センサ５ｂに対応する給排気ファン５ａ及び室外空気質センサ６ｂに対応する給排気ファン６ａを給気運転させてもよい。
【００３６】
本発明の実施の形態２に係る換気システムは、換気する部屋を指定できる構成としたため、実施の形態１の効果に加え、利用者が指定した部屋をダイレクトに換気することができるという特有の効果を奏する。
【００３７】
実施の形態３
実施の形態１、２に係る換気システムは、住宅の各部屋に室外空気質センサを備えた構成であるが、実施の形態３に係る換気ユニットは、室外空気質センサに加え、住宅の各部屋に室内空気質センサを備えた構成である。
【００３８】
実施の形態３に係る換気ユニットについては図１０から図１４を用いて説明する。図１０は、実施の形態３に係る換気システムの住宅内における給排気ファン、室内空気質センサ及び室外空気質センサの配置関係を説明する図であり、図１１は、実施の形態３に係る換気システムの機能ブロック図であり、図１２は、実施の形態３に係る換気システムの操作部を説明する図であり、図１３は実施の形態３に係る換気システムの室外及び室内の汚染状況と給排気ファンの給排気関係を説明する図であり、図１４は実施の形態３に係る換気システムの一連の処理の流れを示すフローチャートである。なお、本実施の形態３では実施の形態１、２との相違点を中心に説明し、実施の形態１、２と同様の構成及び効果については省略する。また、実施の形態１、２と同一の構成については同一の符号を用いる。
【００３９】
図１０に示すように、実施の形態３に係る換気システム１０は、複数の給排気ファン２ａ〜６ａ、各給排気ファン２ａ〜６ａに対応する室外空気質センサ２ｂ〜６ｂ及び室内空気質センサ２ｃ〜６ｃ、室外空気質センサ２ｂ〜６ｂ及び室内空気質センサ２ｃ〜６ｃの検出結果に基づいて給排気ファン２ａ〜６ａの運転状態を制御する制御装置１１で構成されている。
【００４０】
室内空気質センサ２ｃ〜６ｃは、室外空気質センサ２ｂ〜６ｂと同様に、住宅の各部屋Ａ〜Ｅにそれぞれ備えられている。室内空気質センサ２ｃは部屋Ａの壁面に、室内空気質センサ３ｃは部屋Ｂの壁面に、室内空気質センサ４ｃは部屋Ｃの壁面に、室内空気質センサ５ｃは部屋Ｄの壁面に、室内空気質センサ６ｃは部屋Ｅの壁面にそれぞれ備えられている。また、室内空気質センサ２ｃ〜６ｃはそれぞれ給排気ファン２ａ〜６ａの近くに設けられている。室内空気質センサ２ｃ〜６ｃは、室内の空気質を検出することができる。
【００４１】
制御装置１１は、室外空気質センサ２ｂ〜６ｂ及び室内空気質センサ２ｃ〜６ｃの検出結果に基づいて給排気ファン２ａ〜６ａの運転を制御する。具体的には、制御装置１１は、室外空気質センサ２ｂ及び室内空気質センサ２ｃの検出結果に基づいて給排気ファン２ａの運転を制御する。すなわち、給排気ファン２ａと室外空気質センサ２ｂ及び室内空気質センサ２ｃは対応付けられている。同様に、給排気ファン３ａと室外空気質センサ３ｂ及び室内空気質センサ３ｃ、給排気ファン４ａと室外空気質センサ４ｂ室内空気質センサ４ｃ、給排気ファン５ａと室外空気質センサ５ｂ及び室内空気質センサ５ｃ、給排気ファン６ａと室外空気質センサ６ｂ及び室内空気質センサ６ｃはそれぞれ対応付けられている。
【００４２】
続いて、図１１を用いて、換気システム１０の機能ブロック図の説明を行う。なお、実施の形態１と同じ構成については説明を省略する。
【００４３】
図１１に示すように、実施の形態３に係る換気システム１０の制御装置１１は操作部１１ａ、制御部１１ｂ、記憶部１１ｃで構成される。制御部１１ｂは、操作部１１ａから指定された部屋の換気開始指令を受け取ると、指定された部屋に対応する室内空気質センサ２ｃ〜６ｃ及び指定された部屋に対応する室外空気質センサ２ｂ〜６ｂ以外の室外空気質センサ２ｂ〜６ｂに空気質を検出するように指令を与える。制御部１１ｂから指令を受けると、指定された部屋に対応する室外空気質センサ２ｂ〜６ｂ以外の室外空気質センサ２ｂ〜６ｂ及び指定された部屋に対応する室内空気質センサ２ｃ〜６ｃはそれぞれ、空気質を検出する。例えば、ここでは、室内空気質センサ２ｃの検出値はｙ１、室内空気質センサ３ｃの検出値はｙ２、室内空気質センサ４ｃの検出値はｙ３、室内空気質センサ５ｃの検出値はｙ４、室内空気質センサ６ｃの検出値はｙ５であるとする。ｙ１〜ｙ５の検出結果は汚染の程度を評価できるものであれば、実際の値でもよいし、高、中、低等のランク分けされたものであってもよい。
【００４４】
制御部１１ｂは、室外空気質センサ２ｂ〜６ｂ及び室内空気質センサ２ｃ〜６ｃから汚染度情報を受け取ると、汚染度を比較し、室内空気質センサ２ｃ〜６ｃの検出した汚染度が、室外空気質センサ２ｂ〜６ｂが検出したどの汚染度よりも低い場合には換気運転を開始する指令を給排気ファン２ａ〜６ａに送らない。
【００４５】
続いて、図１２から図１４を用いて、Ｂ室を換気する場合における、換気システムの一連の処理の流れを説明する。図１２の室外の汚染状況は図４、図８と同じであるため、ここでは説明を省略する。また、操作部１１ａについては実施の形態２と同様の構成であるためここでは説明を省略する。Ｂ室内の汚染状況は汚染度０であり、全く汚染されていない状況である。
【００４６】
利用者が操作部１１ａのＢ部屋換気ＯＮスイッチ１１ａｂを押すと、制御部１１ｂから室外空気質センサ２ｂ〜６ｂ及び室内空気質センサ２ｃ〜６ｃに換気指令が出され（Ｓ１）、室外空気質センサ２ｂ、室外空気質センサ４ｂ、室外空気質センサ５ｂ、室外空気質センサ６ｂは室外の汚染度の検出を開始する（Ｓ２）。また、室内空気質センサ３ｃはＢ室内の汚染度の検出を開始する（Ｓ２）。  室外空気質センサ２ｂ、室外空気質センサ４ｂ、室外空気質センサ５ｂ、室外空気質センサ６ｂ及び室内空気質センサ３ｃが空気質の検出を完了すると、制御部１１ｂはそれぞれの汚染度を取得する（Ｓ３）。ここでは、Ａ部屋の室外空気質センサ２ｂの検出値ｘ１は汚染度５、Ｃ部屋の室外空気質センサ４ｂの検出値ｘ３は汚染度４、Ｄ部屋の室外空気質センサ５ｂの検出値ｘ４は汚染度１、Ｅ部屋の室外空気質センサ６ｂの検出値ｘ５は汚染度２となる。また、Ｂ部屋の室内空気質センサ３ｃの検出値ｙ２は汚染度０である。
【００４７】
つづいて、制御部１１ｂはこうして得られた汚染度を比較する（Ｓ４）。ここでは、汚染度はｙ２＜ｘ４＜ｘ５＜ｘ３＜ｘ１である。この場合、Ｂ室内の空気を排気し、その他の部屋から空気を流入してしまうとＢ部屋の空気質はより悪化してしまうため制御部１１ｂは給排気ファン２ａ〜６ａに運転開始指令を送らず、換気運転は開始しない。
【００４８】
このように、実施の形態３に係る換気システムは、室外空気質センサに加え室内空気質センサを備えたため、室内の空気質と、室外の空気質を比較することが可能となる。そのため、室内の空気質がより悪化する場合には換気運転を行わないことで、室内の空気質を確実にきれいに保つことが可能となる。
【００４９】
実施の形態１から３に係る換気システムの室外空気質センサは、異なる４方向（例えば、東、西、南、北）を向くように設置することで、汚染度を検知できるエリアをより広範囲にすることができる。
【００５０】
実施の形態１から３に係る換気システムの給排気ファンは図１、図４、図８、図１０、図１３からもわかるように部屋の側壁面に設けられている。しかし、これに限らず天井面に設けられていてももちろんよい。なお、請求項の壁面という記載は、側壁面に限らず、天井面を含む概念である。
【符号の説明】
【００５１】
１  換気システム、２ａ  給排気ファン、２ｂ  室外空気質センサ、２ｃ  室内空気質センサ、３ａ  給排気ファン、３ｂ  室外空気質センサ、３ｃ  室内空気質センサ、４ａ  給排気ファン、４ｂ  室外空気質センサ、４ｃ  室内空気質センサ、５ａ  給排気ファン、５ｂ  室外空気質センサ、５ｃ  室内空気質センサ、６ａ  給排気ファン、６ｂ  室外空気質センサ、６ｃ  室内空気質センサ、７  制御装置、７a  換気ＯＮスイッチ、７ａｂ  換気ＯＦＦスイッチ、７ｂ  制御部、７ｃ  記憶部、８  換気システム、９  制御装置、９ａ  操作部、９ａａ  Ａ部屋換気ＯＮスイッチ、９ａｂ  Ｂ部屋換気ＯＮスイッチ、９ａｃ  Ｃ部屋換気ＯＮスイッチ、９ａｄ  Ｄ部屋換気ＯＮスイッチ、９ａｅ  Ｅ部屋換気ＯＮスイッチ、９ａｆ  換気ＯＦＦスイッチ、９ｂ  制御部、９ｃ  記憶部、１０  換気システム、１１  制御装置、１１ａ  操作部 １１ａａ  Ａ部屋換気ＯＮスイッチ、
１１ａｂ  Ｂ部屋換気ＯＮスイッチ、１１ａｂ  Ｃ部屋換気ＯＮスイッチ、１１ａｄ  Ｄ部屋換気ＯＮスイッチ、１１ａｅ  Ｅ部屋換気ＯＮスイッチ、１１ａｅ  換気ＯＦＦスイッチ、１１ｂ  制御部、１１ｂ  記憶部
【図１】
0006455326.tif 000002
【図２】
0006455326.tif 000003
【図３】
0006455326.tif 000004
【図４】
0006455326.tif 000005
【図５】
0006455326.tif 000006
【図６】
0006455326.tif 000007
【図７】
0006455326.tif 000008
【図８】
0006455326.tif 000009
【図９】
0006455326.tif 000010
【図１０】
0006455326.tif 000011
【図１１】
0006455326.tif 000012
【図１２】
0006455326.tif 000013
【図１３】
0006455326.tif 000014
【図１４】
0006455326.tif 000015